(57)【特許請求の範囲】
【請求項１】
スマートモバイル端末またはサーバが実行する表示背景を変更する方法であって、
現在ユーザーのユーザー好みラベル、及びそれぞれの候補背景の背景ラベルを取得するステップと、
前記現在ユーザーのユーザー好みラベル、及び前記それぞれの候補背景の背景ラベルによって、前記現在ユーザー及び前記それぞれの候補背景をマッチングさせるステップと、
マッチング結果によって、前記現在ユーザーのために推薦待機中の背景を選別するステップと、
前記選別された推薦待機中の背景を、現在ユーザーのモバイル端末にプッシュして変更するようにするステップと、を含み、
前記現在ユーザーのユーザー好みラベル、及びそれぞれの候補背景の背景ラベルを取得するステップの前に、現在ユーザーの暦又は個人情報を取得するとともに、前記暦又は個人情報に対応する題材の背景を選択し、選択された背景を前記候補背景として確定するステップを含むことを特徴とする表示背景を変更する方法。
【請求項２】
前記現在ユーザーのモバイル端末が前記推薦待機中の背景を受信した後、モバイル端末のデスクトップ及び/又はロック画面インターフェイスを、前記推薦待機中の背景に変更するステップをさらに含むことを特徴とする請求項１に記載の表示背景を変更する方法。
【請求項３】
前記現在ユーザーのユーザー好みラベル、及び前記それぞれの候補背景の背景ラベルによって、前記現在ユーザー及び前記それぞれの候補背景をマッチングさせるステップは、
現在ユーザーのそれぞれのユーザー好みラベルと現在の候補背景のそれぞれの背景ラベルとの関連度（ｃｏｒｒｅｌａｔｉｏｎ）を取得するステップと、
現在ユーザーのそれぞれのユーザー好みラベルと現在の候補背景のそれぞれの背景ラベルとの関連度をプラスして、現在ユーザーのユーザー好みラベル総数で前記プラスした結果を平均して、前記現在ユーザーと前記現在の候補背景との関連度を取得するステップと、
現在ユーザーとそれぞれの候補背景との関連度を排列し、排列結果によって、前記現在ユーザー及び前記それぞれの候補背景のマッチング結果を取得するステップと、を含み、
ここで、ユーザー好みラベルと背景ラベルとの関連度は、前記ユーザー好みラベル及び前記背景ラベルが同一ユーザーのユーザー好みラベルセットに同時に現れる回数、又は同一背景の背景ラベルセットに同時に現れる回数によって確定されることを特徴とする請求項１に記載の表示背景を変更する方法。
【請求項４】
前記現在ユーザーのそれぞれのユーザー好みラベルと現在の候補背景のそれぞれの背景ラベルとの関連度をプラスするステップは、
現在ユーザーのユーザー好みラベルの重みによって、現在ユーザーのそれぞれのユーザー好みラベルと現在の候補背景のそれぞれの背景ラベルとの関連度をプラスするステップを含むことを特徴とする請求項３に記載の表示背景を変更する方法。
【請求項５】
前記ユーザー好みラベルの重みは、基礎重み及び行為重みによって確定され、前記基礎重みはユーザー好みの記述によって確定され、前記行為重みはユーザー好き嫌いの点数付けによって確定されることを特徴とする請求項４に記載の表示背景を変更する方法。
【請求項６】
前記行為重みがユーザー好き嫌いの点数付けによって確定されるステップは、
前記行為重みが設定背景使用時間内のユーザー好き嫌いの点数付けによって確定されるステップを含み、
ここで、前記行為重みの値は、ユーザー好き嫌いの点数付けの増加につれて増加され、減少につれて減少され、また、増加又は減少される速度は、前記設定背景使用時間内のユーザー好き嫌いの点数付けの点数総数の増加又は減少速度よりも小さく、前記点数総数が設定値まで増加又は減少した後、前記行為重みの値が固定される傾向にあることを特徴とする請求項５に記載の表示背景を変更する方法。
【請求項７】
前記マッチング結果によって、前記現在ユーザーのために推薦待機中の背景を選別するステップは、
マッチング結果によって、前記現在ユーザーのために順序が前に位置する設定数の推薦待機中の背景を選別するステップを含むことを特徴とする請求項３に記載の表示背景を変更する方法。
【請求項８】
現在ユーザーのユーザー好みラベル、及びそれぞれの候補背景の背景ラベルを取得する取得モジュールと、
前記取得モジュールが取得した、現在ユーザーのユーザー好みラベル、及び前記それぞれの候補背景の背景ラベルによって、前記現在ユーザー及び前記それぞれの候補背景をマッチングさせるマッチングモジュールと、
前記マッチングモジュールのマッチング結果によって、前記現在ユーザーのために推薦待機中の背景を選別する選別モジュールと、
前記選別モジュールが選別した推薦待機中の背景を、現在ユーザーのモバイル端末にプッシュして表示背景を変更するプッシュモジュールと、
現在ユーザーの暦又は個人情報を取得するとともに、前記暦又は個人情報に対応する題材の背景を選択し、選択された背景を前記候補背景として確定する候補背景確定モジュールを備えることを特徴とする表示背景を変更する装置。
【請求項９】
前記マッチングモジュールは、
現在ユーザーのそれぞれのユーザー好みラベルと現在の候補背景のそれぞれの背景ラベルとの関連度（ｃｏｒｒｅｌａｔｉｏｎ）を取得する第１の処理サブモジュールと、
前記第１の処理サブモジュールが取得した、現在ユーザーのそれぞれのユーザー好みラベルと現在の候補背景のそれぞれの背景ラベルとの関連度をプラスして、現在ユーザーのユーザー好みラベル総数で前記プラスした結果を平均して、前記現在ユーザーと前記現在の候補背景との関連度を取得する第２の処理サブモジュールと、
前記第２の処理サブモジュールが取得した、現在ユーザーとそれぞれの候補背景との関連度を排列し、排列結果によって、前記現在ユーザー及び前記それぞれの候補背景のマッチング結果を取得する第３の処理サブモジュールと、を備え、
ここで、ユーザー好みラベルと背景ラベルとの関連度は、前記ユーザー好みラベル及び前記背景ラベルが同一ユーザーのユーザー好みラベルセットに同時に現れる回数、又は同一背景の背景ラベルセットに同時に現れる回数によって確定されることを特徴とする請求項８に記載の表示背景を変更する装置。
【請求項１０】
前記マッチングモジュールは、
前記それぞれのユーザー好みラベルのユーザー好みラベル重みを確定する重みサブモジュールをさらに備え、
前記第２の処理サブモジュールは、前記重みサブモジュールが確定した、現在ユーザーのユーザー好みラベルの重みによって、現在ユーザーのそれぞれのユーザー好みラベルと現在の候補背景のそれぞれの背景ラベルとの関連度をプラスすることを特徴とする請求項９に記載の表示背景を変更する装置。
【請求項１１】
前記重みサブモジュールは、
ユーザー好みの記述によって基礎重みを確定する第１の重みモジュールと、
ユーザー好き嫌いの点数付けによって行為重みを確定する第２の重みモジュールと、
前記第１の重みモジュールの基礎重み、及び前記第２の重みモジュールの行為重みによって、前記それぞれのユーザー好みラベルのユーザー好みラベル重みを確定する結合モジュールと、を備えることを特徴とする請求項１０に記載の表示背景を変更する装置。
【請求項１２】
サーバと表示背景を変更する装置を有するシステムであって、
前記表示背景を変更する装置が、
現在ユーザーのユーザー好みラベルを採集してサーバに送信するラベル採集モジュールと、
前記サーバに現在ユーザーの暦又は個人情報をアップロードする暦又は個人情報アップロードモジュールと、を備え、
前記サーバが、前記ラベル採集モジュールから受信した前記現在ユーザーのユーザー好みラベル、及び取得されたそれぞれの候補背景の背景ラベルによって、前記現在ユーザー、及び前記それぞれの候補背景をマッチングし、マッチング結果によって、前記現在ユーザーのために推薦待機中の背景を選別するように構成され、
前記サーバが、暦又は個人情報アップロードモジュールから受信した前記暦又は個人情報に対応する題材の背景を選択し、選択された背景を前記候補背景として確定するように構成されていることを特徴とするシステム。
【請求項１３】
プロセッサーと、
前記プロセッサーによって実行可能な命令を記憶するメモリと、を備え、
前記プロセッサーは、
現在ユーザーのユーザー好みラベル、及びそれぞれの候補背景の背景ラベルを取得し、
前記現在ユーザーのユーザー好みラベル、及び前記それぞれの候補背景の背景ラベルによって、前記現在ユーザーと、前記それぞれの候補背景をマッチングさせ、
マッチング結果によって、前記現在ユーザーに推薦待機中の背景を選別し、
前記選別された推薦待機中の背景を、現在ユーザーのモバイル端末にプッシュして変更するように構成され、
前記現在ユーザーのユーザー好みラベル、及びそれぞれの候補背景の背景ラベルを取得する前に、現在ユーザーの暦又は個人情報を取得するとともに、前記暦又は個人情報に対応する題材の背景を選択し、選択された背景を前記候補背景として確定する、ことを特徴とする表示背景を変更する機器。
【請求項１４】
サーバと表示背景を変更する機器を有するシステムであって、
表示背景を変更する機器は、プロセッサーと、前記プロセッサーによって実行可能な命令を記憶するメモリと、を備え、
前記プロセッサーは、
現在ユーザーのユーザー好みラベルを採集してサーバに送信し、
前記サーバが送信した選別された推薦待機中の背景を受信して背景を変更するように構成され、
前記サーバは、前記表示背景を変更する機器から受信した前記現在ユーザーのユーザー好みラベル、及び取得されたそれぞれの候補背景の背景ラベルによって、前記現在ユーザー、及び前記それぞれの候補背景をマッチングし、マッチング結果によって、前記現在ユーザーのために推薦待機中の背景を選別するように構成され、
前記サーバは、前記現在ユーザーのユーザー好みラベル、及びそれぞれの候補背景の背景ラベルを受信する前に、現在ユーザーの暦又は個人情報を取得するとともに、前記暦又は個人情報に対応する題材の背景を選択し、選択された背景を前記候補背景として確定する、システム。
【請求項１５】
プロセッサーに実行されることにより、請求項１〜７のいずれか１項に記載の表示背景を変更する方法を実現する、プログラム。
【請求項１６】
請求項１５に記載のプログラムが記録されたコンピュータ読取可能な記録媒体。
【発明の詳細な説明】
【相互参照】
【０００１】
当該出願は、出願番号が２０１５１０６３３２３８．２であって、出願日が２０１５年９月２９日である中国特許出願を基礎として優先権を主張し、当該中国特許出願の内容全体は、本願発明に援用される。
【技術分野】
【０００２】
本発明は、モバイル通信技術分野に関し、より詳細には、表示背景を変更する方法、装置、機器、プログラム及び記録媒体に関する。
【背景技術】
【０００３】
スマートモバイル端末の絶え間ない普及につれて、ますます多くのユーザーは、モバイル端末が提供する様々なアプリケーションの機能を使用することが好きになっている。例えば、スマートモバイル端末において、ロック画面インターフェイス及びデスクトップは、ユーザーが一番多く接触するアプリケーションの一つである。モバイル端末は、ユーザーに、ロック画面インターフェイス及びデスクトップに応用するように、さまざまな背景を提供することができる。背景内容の豊富程度は、ユーザーがモバイル端末に対する好き嫌いに影響する。
【０００４】
多くのユーザーは、１つの背景を一定時間の間使用すると嫌になり、新しい背景に変えたがっている。関連技術では、表示背景、例えば、ロック画面やデスクトップの背景は、通常、ユーザーのモバイル端末内部に保存されたイメージ、又はネットワークの専門的にモバイル端末のために開発された背景イメージであってもよく、ユーザーが自分でデスクトップ設置プログラムを介して背景の変更を完成する必要がある。
【発明の概要】
【発明が解決しようとする課題】
【０００５】
本発明は、ユーザー好みに応じて、モバイル端末の表示背景を自動的に変更することができる表示背景を変更する方法、装置、機器、プログラム及び記録媒体を提供する。
【課題を解決するための手段】
【０００６】
本発明の第１の態様によれば、表示背景を変更する方法が提供され、前記方法は、
現在ユーザーのユーザー好みラベル、及びそれぞれの候補背景の背景ラベルを取得するステップと、
前記現在ユーザーのユーザー好みラベル、及び前記それぞれの候補背景の背景ラベルによって、前記現在ユーザー及び前記それぞれの候補背景をマッチングさせるステップと、
マッチング結果によって、前記現在ユーザーのために推薦待機中の背景を選別するステップと、
前記選別された推薦待機中の背景を、現在ユーザーのモバイル端末にプッシュして変更するようにするステップと、を含む。
【０００７】
好ましくは、前記現在ユーザーのユーザー好みラベル、及びそれぞれの候補背景の背景ラベルを取得するステップの前に、
現在ユーザーの暦又は個人情報を取得するとともに、前記暦又は個人情報に対応する題材の背景を選択し、選択された背景を前記候補背景として確定するステップを含む。
【０００８】
好ましくは、前記方法は、前記現在ユーザーのモバイル端末が前記推薦待機中の背景を受信した後、モバイル端末のデスクトップ及び/又はロック画面インターフェイスを、前記推薦待機中の背景に変更するステップをさらに含む。
【０００９】
好ましくは、前記現在ユーザーのユーザー好みラベル、及び前記それぞれの候補背景の背景ラベルによって、前記現在ユーザー及び前記それぞれの候補背景をマッチングさせるステップは、
現在ユーザーのそれぞれのユーザー好みラベルと現在の候補背景のそれぞれの背景ラベルとの関連度（ｃｏｒｒｅｌａｔｉｏｎ）を取得するステップと、
現在ユーザーのそれぞれのユーザー好みラベルと現在の候補背景のそれぞれの背景ラベルとの関連度をプラスして、現在ユーザーのユーザー好みラベル総数で前記プラスした結果を平均して、前記現在ユーザーと前記現在の候補背景との関連度を取得するステップと、
現在ユーザーとそれぞれの候補背景との関連度を排列し、排列結果によって、前記現在ユーザー及び前記それぞれの候補背景のマッチング結果を取得するステップと、を含み、
ここで、ユーザー好みラベルと背景ラベルとの関連度は、前記ユーザー好みラベル及び前記背景ラベルが同一ユーザーのユーザー好みラベルセットに同時に現れる回数、又は同一背景の背景ラベルセットに同時に現れる回数によって確定される。
【００１０】
好ましくは、前記現在ユーザーのそれぞれのユーザー好みラベルと現在の候補背景のそれぞれの背景ラベルとの関連度をプラスするステップは、
現在ユーザーのユーザー好みラベルの重みによって、現在ユーザーのそれぞれのユーザー好みラベルと現在の候補背景のそれぞれの背景ラベルとの関連度をプラスするステップを含む。
【００１１】
好ましくは、前記ユーザー好みラベルの重みは、基礎重み及び行為重みによって確定され、前記基礎重みはユーザー好みの記述によって確定され、前記行為重みはユーザー好き嫌いの点数付けによって確定される。
【００１２】
好ましくは、前記行為重みがユーザー好き嫌いの点数付けによって確定されるステップは、
前記行為重みが設定背景使用時間内のユーザー好き嫌いの点数付けによって確定されるステップを含み、
ここで、前記行為重みの値は、ユーザー好き嫌いの点数付けの増加につれて増加され、減少につれて減少され、また、増加又は減少される速度は、前記設定背景使用時間内のユーザー好き嫌いの点数付けの点数総数の増加又は減少速度よりも小さく、前記点数総数が設定値まで増加又は減少した後、前記行為重みの値が固定される傾向にある。
【００１３】
好ましくは、前記マッチング結果によって、前記現在ユーザーのために推薦待機中の背景を選別するステップは、
マッチング結果によって、前記現在ユーザーのために順序が前に位置する設定数の推薦待機中の背景を選別するステップを含む。
【００１４】
本発明の第２の態様によれば、表示背景を変更する装置が提供され、前記装置は、
現在ユーザーのユーザー好みラベル、及びそれぞれの候補背景の背景ラベルを取得する取得モジュールと、
前記取得モジュールが取得した、現在ユーザーのユーザー好みラベル、及び前記それぞれの候補背景の背景ラベルによって、前記現在ユーザー及び前記それぞれの候補背景をマッチングさせるマッチングモジュールと、
前記マッチングモジュールのマッチング結果によって、前記現在ユーザーのために推薦待機中の背景を選別する選別モジュールと、
前記選別モジュールが選別した推薦待機中の背景を、現在ユーザーのモバイル端末にプッシュしてことを特徴とする表示背景を変更する変更するようにするプッシュモジュールと、を備える。
【００１５】
好ましくは、現在ユーザーの暦又は個人情報を取得するとともに、前記暦又は個人情報に対応する題材の背景を選択し、選択された背景を前記候補背景として確定する候補背景確定モジュールをさらに備える。
【００１６】
好ましくは、前記マッチングモジュールは、
現在ユーザーのそれぞれのユーザー好みラベルと現在の候補背景のそれぞれの背景ラベルとの関連度（ｃｏｒｒｅｌａｔｉｏｎ）を取得する第１の処理サブモジュールと、
前記第１の処理モジュールが取得した、現在ユーザーのそれぞれのユーザー好みラベルと現在の候補背景のそれぞれの背景ラベルとの関連度をプラスして、現在ユーザーのユーザー好みラベル総数で前記プラスした結果を平均して、前記現在ユーザーと前記現在の候補背景との関連度を取得する第２の処理サブモジュールと、
前記第２の処理サブモジュールが取得した、現在ユーザーとそれぞれの候補背景との関連度を排列し、排列結果によって、前記現在ユーザー及び前記それぞれの候補背景のマッチング結果を取得する第３の処理サブモジュールと、を備え、
ここで、ユーザー好みラベルと背景ラベルとの関連度は、前記ユーザー好みラベル及び前記背景ラベルが同一ユーザーのユーザー好みラベルセットに同時に現れる回数、又は同一背景の背景ラベルセットに同時に現れる回数によって確定される。
【００１７】
好ましくは、前記マッチングモジュールは、
前記それぞれのユーザー好みラベルのユーザー好みラベル重みを確定する重みサブモジュールをさらに備え、
前記第２の処理サブモジュールは、前記重みサブモジュールが確定した、現在ユーザーのユーザー好みラベルの重みによって、現在ユーザーのそれぞれのユーザー好みラベルと現在の候補背景のそれぞれの背景ラベルとの関連度をプラスする。
【００１８】
好ましくは、前記重みサブモジュールは、
ユーザー好みの記述によって基礎重みを確定する第１の重みモジュールと、
ユーザー好き嫌いの点数付けによって行為重みを確定する第２の重みモジュールと、
前記第１の重みモジュールの基礎重み、及び前記第２の重みモジュールの行為重みによって、前記それぞれのユーザー好みラベルのユーザー好みラベル重みを確定する結合モジュールと、を備える。
【００１９】
本発明の第３の態様によれば、表示背景を変更する装置が提供され、前記装置は、
現在ユーザーのユーザー好みラベルを採集してサーバに送信し、前記サーバが受信された前記現在ユーザーのユーザー好みラベル、及び取得されたそれぞれの候補背景の背景ラベルによって、前記現在ユーザー、及び前記それぞれの候補背景をマッチングし、マッチング結果によって、前記現在ユーザーのために推薦待機中の背景を選別するラベル採集モジュールと、
前記サーバが送信した選別された推薦待機中の背景を受信して背景を変更する背景変更モジュールと、を備える。
【００２０】
好ましくは、前記装置は、
前記サーバに、現在ユーザーの暦又は個人情報をアップロードして、前記サーバが、前記暦又は個人情報に対応する題材の背景を選択し、選択された背景を前記候補背景として確定する暦又は個人情報アップロードモジュールをさらに備える。
【００２１】
本発明の第４の態様によれば、表示背景を変更する機器が提供され、前記機器は、
プロセッサーと、
前記プロセッサーによって実行可能な命令を記憶するメモリと、を備え、
前記プロセッサーは、
現在ユーザーのユーザー好みラベル、及びそれぞれの候補背景の背景ラベルを取得し、
前記現在ユーザーのユーザー好みラベル、及び前記それぞれの候補背景の背景ラベルによって、前記現在ユーザーと、前記それぞれの候補背景をマッチングさせ、
マッチング結果によって、前記現在ユーザーに推薦待機中の背景を選別し、
前記選別された推薦待機中の背景を、現在ユーザーのモバイル端末にプッシュして変更するように構成される。
【００２２】
本発明の第５の態様によれば、表示背景を変更する機器が提供され、前記機器は、
プロセッサーと、
前記プロセッサーによって実行可能な命令を記憶するメモリと、を備え、
前記プロセッサーは、
現在ユーザーのユーザー好みラベルを採集してサーバに送信し、前記サーバが受信された前記現在ユーザーのユーザー好みラベル、及び取得されたそれぞれの候補背景の背景ラベルによって、前記現在ユーザー、及び前記それぞれの候補背景をマッチングし、マッチング結果によって、前記現在ユーザーのために推薦待機中の背景を選別し、
前記サーバが送信した選別された推薦待機中の背景を受信して背景を変更するように構成される。
【００２３】
本発明の第６の態様によれば、
プロセッサーに実行されることにより、上記の表示背景を変更する方法を実現する、プログラムを提供する。
【００２４】
本発明の第７の態様によれば、
上記プログラムが記録されたコンピュータ読取可能な記録媒体を提供する。
【発明の効果】
【００２５】
本発明が提供する技術的案によれば、下記のような有益な効果を含むことができる。即ち、
本発明は、現在ユーザーのユーザー好みラベル、及びそれぞれの候補背景の背景ラベルを取得し、前記現在ユーザーのユーザー好みラベル、及び前記それぞれの候補背景の背景ラベルによって、前記現在ユーザー及び前記それぞれの候補背景をマッチングさせてマッチング結果を取得し、マッチング結果によって、前記現在ユーザーのために推薦待機中の背景を選別し、選別された推薦待機中の背景を、現在ユーザーのモバイル端末にプッシュして変更するようにさせる。このようにして、ユーザー好みに応じて、表示背景の主動的な変更を実現でき、ユーザーの便宜を図ることができ、ユーザーのニーズを満足することができる。
【００２６】
本発明は、暦又は個人情報によって、現在ユーザーの暦又は個人情報に対応する題材の背景を候補背景として選択することにより、暦又は個人情報によって、ユーザー好みに応じて主動的に表示背景を変更して、ユーザーの便宜を図ることができ、ユーザーのニーズを満足することができる。
【００２７】
本発明は、マッチングするときに、さらにユーザー好みラベルの重みを結合してマッチングすることにより、マッチングがユーザーのニーズにさらに適合されるようにする。
【００２８】
本発明は、ユーザー好みラベルの重みが基礎重み及び行為重みを結合して確定され、行為重みがユーザー好き嫌いの点数付けによって確定されることにより、ユーザー好みの変化をより正確に反映することができる。
【００２９】
なお、前記一般的な記載及び後述の詳細な記載は、単なる例示的で解釈的な記載であり、本発明を限定しない。
【図面の簡単な説明】
【００３０】
以下の図面は、明細書に組み入れて本明細書の一部分を構成し、本発明に該当する実施例を例示するとともに、明細書とともに本発明の原理を解釈するように構成される。
【図１】一例示的な実施例に係る、表示背景を変更する方法を示すフローチャートである。
【図２】一例示的な実施例に係る、他の表示背景を変更する方法を示すフローチャートである。
【図３】一例示的な実施例に係る、他の表示背景を変更する方法を示すフローチャートである。
【図４】一例示的な実施例に係る、表示背景を変更する装置を示すブロック図である。
【図５】一例示的な実施例に係る、他の表示背景を変更する装置を示すブロック図である。
【図６】一例示的な実施例に係る、他の表示背景を変更する装置を示すブロック図である。
【図７】一例示的な実施例に係る、表示背景を変更するための機器を示すブロック図である。
【図８】一例示的な実施例に係る、他の表示背景を変更するための機器を示すブロック図である。
【図９】一例示的な実施例に係る機器の構造を示すブロック図である。
【発明を実施するための形態】
【００３１】
ここで、図面に示される例示的な実施例について詳細に説明する。以下、図面に関連して説明する際に、特別な説明がない限り、異なる図面での同一符号は、同一又は類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００３２】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の１つ又は複数の何れ又は全ての組み合わせを意味する。
【００３３】
また、本発明は、第１、第２、第３等の用語を使って各種の情報を説明するが、それらの情報は前記用語に限定されない。それらの用語は、同一種類の情報同士を区分するためのものに過ぎない。例えば、本発明の範囲から逸脱しない範囲で、第１の情報を第２の情報と称しても良い。同じように、第２の情報を第１の情報と称してもよい。ここで使っている用語「……場合」は、上下文の意味によって、「……時」或は「……と」又は「確定に応じる」に解釈されてもよい。
【００３４】
図１は、本発明の一例示的な実施例に係る、表示背景を変更する方法を示すフローチャートであり、下記のようなステップを含む。
【００３５】
ステップ１０１：現在ユーザーのユーザー好みラベル、及びそれぞれの候補背景の背景ラベルを取得する。
【００３６】
ユーザーの背景に対する好みは、ユーザー好みラベルにより表示され、候補背景は、背景ラベルを設定して背景スタイルの特徴を表示する。
【００３７】
ステップ１０２：前記現在ユーザーのユーザー好みラベル、及び前記それぞれの候補背景の背景ラベルによって、前記現在ユーザー及び前記それぞれの候補背景をマッチングさせる。
【００３８】
前記ステップ１０２は、
現在ユーザーのそれぞれのユーザー好みラベルと現在の候補背景のそれぞれの背景ラベルとの関連度（ｃｏｒｒｅｌａｔｉｏｎ）を取得するステップと、
現在ユーザーのそれぞれのユーザー好みラベルと現在の候補背景のそれぞれの背景ラベルとの関連度をプラスして、現在ユーザーのユーザー好みラベル総数で前記プラスした結果を平均して、前記現在ユーザーと前記現在の候補背景との関連度を取得するステップと、
現在ユーザーとそれぞれの候補背景との関連度を排列し、排列結果によって、前記現在ユーザー及び前記それぞれの候補背景のマッチング結果を取得するステップと、を含み、
ここで、ユーザー好みラベルと背景ラベルとの関連度は、前記ユーザー好みラベル及び前記背景ラベルが同一ユーザーのユーザー好みラベルセットに同時に現れる回数、又は同一背景の背景ラベルセットに同時に現れる回数によって確定される。
【００３９】
ここで、前記現在ユーザーのそれぞれのユーザー好みラベルと現在の候補背景のそれぞれの背景ラベルとの関連度をプラスするステップは、現在ユーザーのユーザー好みラベルの重みによって、現在ユーザーのそれぞれのユーザー好みラベルと現在の候補背景のそれぞれの背景ラベルとの関連度をプラスするステップを含む。
【００４０】
ステップ１０３：マッチング結果によって、前記現在ユーザーのために推薦待機中の背景を選別する。
【００４１】
前記ステップ１０３で、マッチング結果によって、前記現在ユーザーのために順序が前に位置する設定数の推薦待機中の背景を選別する。
【００４２】
１０４ステップ：前記選別された推薦待機中の背景を、現在ユーザーのモバイル端末にプッシュして変更するようにする。
【００４３】
なお、前記それぞれのステップは、通常サーバにより実行され、モバイル端末のデータ能力が処理要求を満足すると、モバイル端末により実行されてもよい。
【００４４】
前記実施例から分かるように、本発明は、現在ユーザーのユーザー好みラベル、及びそれぞれの候補背景の背景ラベルを取得し、前記現在ユーザーのユーザー好みラベル、及び前記それぞれの候補背景の背景ラベルによって、前記現在ユーザー及び前記それぞれの候補背景をマッチングさせてマッチング結果を取得し、マッチング結果によって、前記現在ユーザーのために推薦待機中の背景を選別し、選別された推薦待機中の背景を、現在ユーザーのモバイル端末にプッシュして変更するようにさせる。このようにして、ユーザー好みに応じて、表示背景の主動的な変更を実現でき、ユーザーの便宜を図ることができ、ユーザーのニーズを満足することができる。
【００４５】
図２は、本発明の一例示的な実施例に係る、他の表示背景を変更する方法を示すフローチャートである。前記方法は、下記のようなステップを含む。
【００４６】
ステップ２０１：現在ユーザーの暦又は個人情報を取得するとともに、前記暦又は個人情報に対応する題材の背景を選択し、選択された背景を前記候補背景として確定する。
【００４７】
前記ステップ２０１で、暦又は個人情報によって対応する題材の背景を選択する。例えば、国慶節であれば、国慶節題材の背景を選択し、個人の星座によって星座題材の背景などを選択する。
【００４８】
ステップ２０２：現在ユーザーのユーザー好みラベル、及びそれぞれの候補背景の背景ラベルを取得する。
【００４９】
ステップ２０３：前記現在ユーザーのユーザー好みラベル、及び前記それぞれの候補背景の背景ラベルによって、前記現在ユーザー及び前記それぞれの候補背景をマッチングさせる。
【００５０】
前記ステップ２０３は、ステップ１０２の記載を参照すればいいので、ここでこれ以上冗長に説明しない。
【００５１】
ステップ２０４：マッチング結果によって、前記現在ユーザーのために推薦待機中の背景を選別する。
【００５２】
前記ステップ２０４で、マッチング結果によって、前記現在ユーザーのために順序が前に位置する設定数の推薦待機中の背景を選別する。ここで、設定数は限定されず、需要に応じて、例えば、１、２又は３などを選択してもよい。
【００５３】
ステップ２０５：前記選別された推薦待機中の背景を、現在ユーザーのモバイル端末にプッシュして変更するようにする。
【００５４】
なお、前記それぞれのステップの後、前記現在ユーザーのモバイル端末が前記推薦待機中の背景を受信すると、モバイル端末のデスクトップ及び/又はロック画面インターフェイスを、前記推薦待機中の背景に変更する。
【００５５】
また、前記それぞれのステップは、通常、サーバに実行され、モバイル端末のデータ能力が処理要求を満足すると、モバイル端末により実行されてもよい。
【００５６】
前記実施例からわかるように、本発明は、暦又は個人情報によって、前記暦又は個人情報に対応する題材の背景を選択して候補背景とし、また、現在ユーザーのユーザー好みラベル、及びそれぞれの候補背景の背景ラベルを取得し、前記現在ユーザーのユーザー好みラベル、及び前記それぞれの候補背景の背景ラベルによって、前記現在ユーザー及び前記それぞれの候補背景をマッチングさせるとともに、推薦待機中の背景を選別して、現在ユーザーのモバイル端末にプッシュして変更するようにする。従って、暦又は個人情報によって、また、ユーザー好みに応じて、表示背景の主動的な変更を実現することができ、ユーザーの便宜を図ることができ、ユーザーのニーズを満足することができる。
【００５７】
図３は、本発明の一例示的な実施例に係る、他の表示背景を変更する方法を示すフローチャートである。
【００５８】
前記方法は、サーバに応用されることを例に挙げて説明されるが、これに限定されず、モバイル端末のデータ処理能力が高ければ、需要に応じて、モバイル端末に応用されてもよい。
【００５９】
本発明のサーバは、背景リソースサーバを例に挙げて説明される。背景リソースサーバは、様々な背景リソースを提供し、設定条件によってマッチング背景を選別して、モバイル端末にプッシュし、モバイル端末は、そのデスクトップ背景の管理プログラムにより、背景リソースサーバがプッシュする背景を取得する。前記取得ステップは、主動的に背景リソースサーバからダウンロードするステップ、又は背景リソースサーバの送信を受信するステップを含んでもよい。モバイル端末は、毎日の固定した時間にダウンロードしてもよい。モバイル端末は、背景リソースサーバがプッシュした背景を取得した後背景を変更するか、又は設定条件に達すると、その時に背景を変更してもよい。
【００６０】
本発明のサーバは、モバイル端末がアップロードしたユーザーの情報、及びユーザーの好み情報を管理し、様々な背景イメージを保存・管理し、背景イメージをアップロードして管理するように、バックグラウンドプログラムに提供する。さらに、主に、ユーザー好み及び候補背景のマッチングを行い、マッチング結果によって、ユーザーのモバイル端末にユーザーに最も適した背景イメージをプッシュする。本発明のモバイル端末は、クライアントをインストールすることができ、前記クライアントが、ユーザーアカウントの登録、ログイン、及び修正を担当し、ユーザーの好み情報を採集するとともに、サーバにフィードバックし、決められた時間にサーバから照会して、背景をダウンロードして、デスクトップの背景管理プログラムに転送して背景を変更する。
【００６１】
以下、図３が示す方法を詳しく説明する。前記方法は、下記のようなステップを含む。
【００６２】
ステップ３０１：異なる題材の背景を選択して候補背景とする。
【００６３】
前記ステップ３０１で、サーバは、分類された異なる題材の背景を選択する。背景の題材は、暦又は個人情報によって確定されるため、サーバは、暦又は個人情報によって、前記暦又は個人情報に対応する題材の背景を候補背景として確定することができる。暦情報は、例えば、祝日、休日、季節などの情報であってもよい。個人情報は、例えば、誕生日、星座、結婚記念日などの情報であってもよい。例えば、伝統的な祝日である春節には、濃厚な祝日雰囲気があるデスクトップ背景を選択し、法定休日、例えば国慶節には、国慶節に係る背景を選択し、誕生日であれば、ケーキ、花束などの内容を有するデスクトップ背景を選択する。一部の青年は、星座や占いが好きなので、ユーザーの星座によって、占いを暗示するデスクトップ背景を選択してもよい。
【００６４】
ステップ３０２：それぞれの候補背景の背景ラベルを取得する。
【００６５】
ユーザーの美に対する感覚がそれぞれ異なる。一部のユーザーは、鮮やかなものが好きで、一部のユーザーは、ぼんやりしあっさりするものが好きである。従って、背景には、様々な背景ラベルが設定される。当該背景ラベルは背景デザイナー、背景アップロードする人や背景ユーザーが設定してもよく、サーバが背景のために設定してもよい。同一の題材に対して、異なるスタイルを有する背景をディジインしてユーザーが使用するように提供する。スタイルと背景との関連は、背景ラベルを介して表示される。
【００６６】
背景ラベルは、それぞれ異なるように設定される。例えば、背景ラベルは、あっさりするもの、ぼんやりするもの、情熱的なもの、ロックンロール的なものなどに設定されてもよい。 １つの背景は、複数の背景ラベルを有してもよい。
【００６７】
ステップ３０３：現在ユーザーのユーザー好みラベルを取得する。
【００６８】
ユーザーの背景に対する好みは、ユーザー好みラベルを介して表示される。ユーザー好みラベルは、１つグループのラベルにより構成されてもよい。即ち、複数のラベルにより好みを表示してもよい。ここで、それぞれのラベルは、異なる重みを有してもよい。
【００６９】
例えば、ユーザーは、あっさりした背景、ぼんやりした背景、抽象的な背景が好きになる場合、ユーザーのユーザー好みラベルは、あっさりしたラベル、ぼんやりするラベル、抽象的なラベルである。
【００７０】
本発明は、異なる方式を介してユーザーの背景に対する好き嫌い程度を確定することができる。即ち、
１サーバの評価システムの記録によって確定する。評価システムは、ユーザーの現在使用している背景に対する評価、即ち、好き、嫌い、一般であるなどを記録する。例えば、ユーザーのあっさりした背景に対する評価が好きであり、あざやかな背景に対する評価が一般であると、ユーザーのユーザー好みラベルは、あっさりと、あざやかである。
【００７１】
２サーバが記録したユーザーの主動的な選択によって確定する。サーバは、ユーザーが自発的に選択したいくつかの背景を記録する。選択された背景がちょうどユーザーが好きな背景であり、逆に、通常は、嫌いな背景である。例えば、ユーザーが主動的に選択した背景ラベルがあっさりした背景である場合、ユーザーのユーザー好みラベルがあっさりであると確定できる。
【００７２】
３サーバが記録したユーザーの好みに対する記述によって確定する。サーバは、ユーザーが編集した、自分のユーザー好みラベル、例えば、あっさりしたもの、ぼんやりしたものなどを記録する、又はユーザーがサーバに直接フィードバックしたユーザー好みラベルを受信する。
【００７３】
ユーザー好みラベルにおけるそれぞれのラベルは、異なる重みを有してもよい。ユーザー好みラベルの重みとも称する。
【００７４】
ユーザーが最初に背景を使用すると、ユーザーが選択したラベルをユーザー好みラベルとして定めてもよい、又は自分のラベルを追加してユーザー好みラベルとして定めてもよい。この時、それぞれのラベルの重みが同じである。例えば、ユーザー好みラベルに、あっさりしたもの、ぼんやりしたものなどが含まれる場合、あっさりしたラベルとぼんやりしたラベルの重みが同じである。
【００７５】
後の日常の使用において、ユーザーがある背景をもっと好きになると、この背景の背景ラベルに対応するユーザー好みラベルの重みが増加する。逆に、ユーザーがある背景が嫌いになると、この背景の背景ラベルに対応するユーザー好みラベルの重みが減少する。例えば、後で、ユーザーがあっさりした背景を選択する回数が多くなると、ユーザー好みラベルであるあっさりしたラベルの重みが増加される。また、ユーザーが後で背景ラベルがぼんやりである背景を、嫌いと評価し、又は長い間ぼんやりした背景を選択しない場合、ユーザー好みラベルであるぼんやりラベルの重みが減少される。
【００７６】
本発明は、重み修正アルゴリズムによって重みを確定することができる。重みは、時間と頻度の両方要素を考慮する。設定された時間内に、ユーザーがユーザー好みラベル中のあるラベルに対して好きになる回数が多いほど、重みがより多く増加し、逆に、嫌いになる回数が多ければ多いほど、重みがより大きく減少される。しかし、重みが一定の程度まで増加又は減少された後、増加又は減少される速度は下降される。
【００７７】
本発明の重み修正処理は、
重みは２つの部分から構成する。即ち、Ｗ = Ｂ + Ｆ
Ｗは重みを表示し、
Ｂは基礎重みを表示する。基礎重みは、ユーザーにより確定され、ユーザーの好みに対する記述方式によって確定される。
【００７８】
Ｆは行為重みを表示する。行為重みは、ユーザーの評価によって確定される。
【００７９】
一般的に、基礎重みは、比較的固定される。一旦ユーザーがあるラベルを選択すると、１つの固定値を確定することができる。一般的に、それぞれのラベルの基礎重みが同じである。例えば、前記ユーザー好みラベルであるあっさりとぼんやりの基礎重みは同じである。例えば、すべてが固定の２ポイントである。
【００８０】
行為重みは、好き嫌いの点数付けによって確定され、設定背景使用時間内でのユーザー好き嫌いの点数付けによって確定することを含む。よって、一般的には固定されず、動的に変化する。例えば、シ好き嫌いの点数付けは、好き、一般である、嫌い、３つのレベルに分けられ、評価値は、高い点数から低い点数、例えば、対応して３点、２点、１点である。
【００８１】
行為重みＦは、式Ｆ = Ｒ（Ｔ、Ｓ）で計算される。
【００８２】
ただし、Ｓは点数総数（固定時間内に毎回評価の総合）を表示し、Ｔは時間を表示し、Ｒは計算関数を表示する。
【００８３】
本発明は、時間を最近１週間内、最近１ヶ月内、ユーザーが登録してから現在までの３つの時間帯に分ける。なお、ここでただ時間帯の分割について例を挙げて説明したが、これに限らず、需要に応じて他の方式で分割してもよい。
【００８４】
３つの時間帯を総合すると、下記式を得ることができる。
Ｆ = Ｒ１（Ｔ１、Ｓ１）+ Ｒ２（Ｔ２、Ｓ２）+ Ｒ３（Ｔ３、Ｓ３）
Ｒ１（Ｔ１、Ｓ１）は、最近１週間（Ｔ１）内の点数総数（Ｓ１）のＲ１計算関数を表示する。
Ｒ２（Ｔ２、Ｓ２）は、最近１ヶ月（Ｔ２）内の点数総数（Ｓ２）のＲ２の計算関数を表示する。
Ｒ３（Ｔ３、Ｓ３）は、ユーザーが登録してから現在（Ｔ３）までの点数総数（Ｓ３）のＲ３計算関数を表示する。
【００８５】
新たに登録されたユーザー又は登録したばかりのユーザーであれば、記録時間が短すぎて、例えば１分未満であるので、Ｔは、値を０に直接取る。
【００８６】
前記Ｒ１、Ｒ２、Ｒ３は、それぞれ異なる３つの関数であり、計算して取得した値は、Ｒ１＞ Ｒ２＞ Ｒ３である。これで、ユーザーの最近の行為がさらに大きな作用を発揮するようにさせる。
【００８７】
本発明は、Ｒ１、Ｒ２、Ｒ３関数の選択において、対数関数、又は類似の関数を使用して以下の目的を達成することができる。即ち、点数総数Ｓの増加又は減少に沿って、リターン値Ｒの増加又は減少の速度は、Ｓの増加又は減少の速度よりも小さく、Ｓが一定の程度まで増加又は減少した後、リターン値Ｒは１つの固定値に接近する傾向にあり、  もっと増加したり、又は減少しない。従って、本発明は、対数関数Ｒを用いて、前記目的の要求を満足することができる。
【００８８】
なお、前記ステップ３０２及びステップ３０３は、必然的な順序関係がない。
【００８９】
ステップ３０４：現在ユーザーのユーザー好みラベル、及びそれぞれの候補背景の背景ラベルによって、現在ユーザー及び前記それぞれの候補背景をマッチングさせる。
【００９０】
本発明のユーザー好み及び背景のマッチングは、ユーザー好みラベル及び背景ラベルの関連度のマッチングを介して完成する。
【００９１】
前記ステップ３０４は、現在ユーザーのそれぞれのユーザー好みラベルと現在の候補背景のそれぞれの背景ラベルとの関連度を取得し、現在ユーザーのそれぞれのユーザー好みラベルと現在の候補背景のそれぞれの背景ラベルとの関連度をプラスし、現在ユーザーのユーザー好みラベル総数で前記プラスした結果を平均して、前記現在ユーザーと前記現在の候補背景との関連度を取得するとともに、現在ユーザーとそれぞれの候補背景との関連度に対して排列し、排列結果によって、前記現在ユーザー及び前記それぞれの候補背景のマッチング結果を取得する。
【００９２】
以下、前記ステップ３０４の処理過程を詳細に説明する。
【００９３】
本発明は、現在ユーザーのそれぞれのユーザー好みラベルと現在の候補背景のそれぞれの背景ラベルとの関連度を取得した後、まず、ユーザー好みラベル及び背景ラベルに対して両両関連度のマッチングを行い、そして、ユーザー好みラベルの重みを因子として、現在ユーザーのそれぞれのユーザー好みラベルと現在の候補背景のそれぞれの背景ラベルとの関連度をプラスする。つまり、関連度に対して重み付け和を求めて、総点を取得し、総点をユーザー好みラベル数量で割り算して最終的な得点を取得して、現在ユーザーと現在の候補背景との関連度を取得する。そして、現在ユーザーとそれぞれの候補背景との関連度を排列し、最終的に得点が最も高い関連度がマッチング度が最も高く、得点が次に高いもののマッチング度が次に高く、このように類推する。
【００９４】
ラベルが小文字ａ、ｂ、ｃ、ｄ ...で表示され、ラベルの関連度が計算関数Ｒを介して計算され、計算関数Ｒが確率関数、例えばパーセント関数又は類似の関数などであるとすると、Ｒ（ａ、ｂ）は、ラベルａ、ｂ間の関連度を表示し、ラベルの重みは、関数Ｗを介して計算され、Ｗ（ａ）は、ラベルａがユーザー好みラベル中での好みの重みを表示する。
【００９５】
現在ユーザーのユーザー好みラベルがａ、ｂであり、ある候補背景の背景ラベルがｃ、ｄであるすると、総点Ｍは下記の方式によって得られる。
【００９６】
Ｍ =（Ｒ（ａ、ｃ）+ Ｒ（ａ、ｄ））＊ Ｗ（ａ）+（Ｒ（ｂ、ｃ）+ Ｒ（ｂ、ｄ））＊ Ｗ（ｂ）
最後の得点はＦ = Ｍ / ２である。即ち、現在ユーザーと現在の候補背景との関連度はＦ = Ｍ / ２である。  
【００９７】
ユーザー好みラベルがそれぞれａ、ｂであるため、最終的にＭを２で割り算して平均点数を得る。また、ユーザー好みラベル数量がＮであれば、Ｎで割り算する。
【００９８】
ユーザー好みラベルがａ、ｂ、ｅであれば、下記のように計算する。
Ｍ =（Ｒ（ａ、ｃ）+ Ｒ（ａ、ｄ））＊ Ｗ（ａ）+（Ｒ（ｂ、ｃ）+ Ｒ（ｂ、ｄ））＊ Ｗ（ｂ）+（Ｒ（ｅ、ｃ ）+ Ｒ（ｅ、ｄ））＊ Ｗ（ｅ）
最後の得点はＦ = M / ３である。
【００９９】
背景ラベルがｃ、ｄ、ｅであれば、下記のように計算する。
Ｍ =（Ｒ（ａ、ｃ）+ Ｒ（ａ、ｄ）+ Ｒ（ａ、ｅ））＊ Ｗ（ａ）+（Ｒ（ｂ、ｃ）+ Ｒ（ｂ、ｄ）+ Ｒ（ｂ、ｅ ））＊ Ｗ（ｂ）
最後の得点はＦ = Ｍ / ２である。
【０１００】
現在ユーザーと現在の候補背景との関連度を取得した後、現在ユーザーとそれぞれの候補背景との関連度を排列して、最終に得点が最も高い関連度がマッチング度が最も高い。
【０１０１】
なお、前記取得した関連度は、計算して確定された関連度表から直接照会して使用してもよい。
【０１０２】
前記ユーザー好みラベルと背景ラベルとの関連度は、前記ユーザー好みラベル及び前記背景ラベルが同一ユーザーのユーザー好みラベルセットに同時に現れる回数、又は同一背景の背景ラベルセットに同時に現れる回数によって確定される。
【０１０３】
例えば、関連度Ｒ（ａ、ｃ）は、ラベルａ、ｃがユーザー好みラベルセット又は背景ラベルセットに同時に現れる回数がユーザー総数と背景総数の合計で占められる割合によって確定される。 Ｒ（ａ、ｃ）の値は、確率統計の結果である。また、２つのラベルがユーザー好みラベルセット又は背景ラベルセットに同時に現れる比例が高いと、前記２つのラベルの関連度が高いことを説明する。そうでないと、２つのラベルの関連度が低いことを説明する。例えば、一般的に、「あっさりのラベル」と「ぼんやりのラベル」との関連度が少し高く、「あざやかなラベル」と「ぼんやりのラベル」との関連度が低い。
【０１０４】
本発明において、関連度の確定過程は、
例えば、サーバにＮ個のユーザー及びＭ個の背景が存在する。ここで、それぞれのユーザーは、１グループのユーザー好みラベルを有し、それぞれの背景も１グループの背景ラベルを有する。ユーザー好みラベル及び背景ラベルが有数ラベル数は、必ず≧１である。
【０１０５】
関連度を確定する過程は、下記の通りである。
【０１０６】
１）１つの大きいマッピング表（ｍａｐｐｉｎｇ Ｔａｂlｅ）Ｘ = {  }を定義する。Ｘ表の中で、２つのラベルごとが１グループであり、この２つのラベルがユーザー好みラベルセット又は背景ラベルセットに同時に現れる回数を記録する。
【０１０７】
２）それぞれのユーザー又は背景のラベルを循環して取得する。このラベルリストが{ａ、ｂ、ｃ、ｄ、ｅ、ｄ .....}であるとすれば、
２.１）{ａ、ｂ}、{ａ、ｃ}、{ａ、ｄ}、... {ｂ、ｃ}、{ｂ、ｄ}、... {ｃ、ｄ}、{ｃ、ｅ } ....のように、すべての両両組み合わせを得る。
２.２）これらのラベルグループをＸ表に記憶させる。前記ラベルグループがすでに存在すると、計数に１を加える。
【０１０８】
３）ユーザーの総数及び背景総数（Ｎ + Ｍ）を取得し、Ｘ表の中で、それぞれのラベルグループの回数がユーザー総数と背景総数の合計で占められる割合がそれらの関連度である。
【０１０９】
なお、１つのラベルのみを有するユーザー又は背景である場合、前記処理過程に分母を記入し、分子は記入しない。ラベルが単独である状況も一つの好みの組み合わせを体表するので、ラベルの関連度にも影響を与える。前記関連度の値は、１回計算後、１つの関連度表に記憶し、使用ときに、ラベル組み合わせ状況に応じて、関連度表から直接取得し、再度計算する必要がない。また、Ｘ表を記憶してもよい。新しい背景又は新しいユーザーが増加すると、再度ラベル組み合わせの計数を更新するとともに、関連度表を更新する。又は、ユーザーのユーザー好みラベルに変化が生じると、変化前のラベル組み合わせをＸ表内で１を引き、変化後のラベル組み合わせをＸ表内で１を加える。これによって、Ｘ表の更新を実現し、そして、関連表を更新する。背景ラベルは、一旦確定されると、一般的には変更しない。
【０１１０】
なお、本発明は、ユーザー好みラベル及び背景ラベルを両両マッチングさせることであり、ユーザー好みラベルの間、又は背景ラベルの間で両両マッチングさせることではない。
【０１１１】
ステップ３０５：マッチング結果によって、現在ユーザーのために推薦待機中の背景を選別する。
【０１１２】
前記ステップ３０５で、前記取得した最終得点Ｆによって、得点が最も高いものがマッチング度が最も高いと確定し、得点が次に高いものがマッチング度が次に高いと確定し、このように類推する。これによって、前に位置する推薦待機中の背景を選別することができ、得点が最も高い推薦待機背景のみを選別することができ、また、得点が最も高い及び次に高い推薦待機中の背景を同時に選別することができる。
【０１１３】
ステップ３０６：推薦待機中の背景を、現在ユーザーのモバイル端末にプッシュして変更するようにする。
【０１１４】
前記ステップ３０６で、選別された推薦待機中の背景を、現在ユーザーのモバイル端末にプッシュして変更するようにする。
【０１１５】
モバイル端末は、推薦待機中の背景を受信した後、デスクトップの背景管理プログラムを介して、モバイル端末のデスクトップ及び/又はロック画面インターフェイスを、前記推薦待機中の背景に変更することができる。
【０１１６】
現在、国慶節であれば、ステップ３０１で選択したのは、国慶節題材の背景であり、プッシュした背景が、国慶節題材の中から選別した推薦待機中の背景である。
【０１１７】
ステップ３０１で選択したのが、個人情報、例えば、ユーザー星座情報題材の背景であると、プッシュしたのが星座題材の中から選別した推薦待機中の背景である。
【０１１８】
なお、ステップ３０１で、異なる分類題材に沿って背景を選択しないと、すべての背景の中で選別マッチングを行う。
【０１１９】
また、本発明は、設定周期に到達するたびに、例えば７日間隔で、選別した前記推薦待機中の背景をモバイル端末にプッシュして変更するようにする。
【０１２０】
本発明の実施例に係る技術手段は、ユーザー好みによって、選別した推薦待機中の背景を主動的にプッシュするので、ユーザーが照会すること、異なる背景を選択する過程を避け、大量の照会時間を節約でき、ユーザーは心配がいらない。また、ユーザーはほとんど学習しなくても、異なる背景を変更可能であり、モバイル端末の使用に慣れていないユーザーにとって、特に便利になる。また、暦又は個人情報によってプッシュできる。例えば、国慶節であれば、国慶節題材からユーザーが好きのスタイル背景をプッシュすることで、ユーザーがモバイル端末を使用する楽しさを増加させ、ずっと変化がない背景を持続的に使用することを防止できる。
【０１２１】
前述したアプリケーションの機能を実現する方法の実施例に対応するように、本発明は、表示背景を変更する装置及び対応する機器の実施例を提供する。
【０１２２】
図４は、本発明の一例示的な実施例に係る、表示背景を変更する装置を示すブロック図である。
【０１２３】
図４に示すように、表示背景を変更する装置は、取得モジュール４１、マッチングモジュール４２、選別モジュール４３、プッシュモジュール４４を備える。
【０１２４】
取得モジュール４１は、現在ユーザーのユーザー好みラベル、及びそれぞれの候補背景の背景ラベルを取得する。
【０１２５】
マッチングモジュール４２は、前記取得モジュール４１が取得した、現在ユーザーのユーザー好みラベル、及び前記それぞれの候補背景の背景ラベルによって、前記現在ユーザー及び前記それぞれの候補背景をマッチングさせる。
【０１２６】
選別モジュール４３は、前記マッチングモジュール４２のマッチング結果によって、前記現在ユーザーに推薦待機中の背景を選別する。
【０１２７】
プッシュモジュール４４は、前記選別モジュール４３が選別した推薦待機中の背景を、現在ユーザーのモバイル端末にプッシュして変更するようにする。
【０１２８】
前記実施例では、本発明は、現在ユーザーのユーザー好みラベル、及びそれぞれの候補背景の背景ラベルを取得し、前記現在ユーザーのユーザー好みラベル、及び前記それぞれの候補背景の背景ラベルによって、前記現在ユーザー及び前記それぞれの候補背景をマッチングさせてマッチング結果を取得し、マッチング結果によって、前記現在ユーザーのために推薦待機中の背景を選別し、選別された推薦待機中の背景を、現在ユーザーのモバイル端末にプッシュして変更するようにする。このようにして、ユーザー好みに応じて表示背景の主動的な変更を実現でき、ユーザーの便宜を図ることができ、ユーザーのニーズを満足することができる。
【０１２９】
図５は、本発明の一例示的な実施例による、他の表示背景を変更する装置を示すブロック図である。
【０１３０】
図５に示すように、表示背景を変更する装置は、取得モジュール４１、マッチングモジュール４２、選別モジュール４３、プッシュモジュール４４、候補背景確定モジュール４５を備える。
【０１３１】
取得モジュール４１、マッチングモジュール４２、選別モジュール４３、プッシュモジュール４４の機能については、図４の記述を参照すればよい。
【０１３２】
候補背景確定モジュール４５は、現在ユーザーの暦又は個人情報を取得するとともに、前記暦又は個人情報に対応する題材の背景を選択し、選択された背景を前記候補背景として確定する。
【０１３３】
取得モジュール４１は、候補背景確定モジュール４５が確定した候補背景の中からそれぞれの候補背景の背景ラベルを取得する。
【０１３４】
前記マッチングモジュール４２は、第１の処理サブモジュール４２１、第２の処理サブモジュール４２２、第３の処理サブモジュール４２３を備える。
【０１３５】
第１の処理サブモジュール４２１は、現在ユーザーのそれぞれのユーザー好みラベルと現在の候補背景のそれぞれの背景ラベルとの関連度を取得する。ここで、ユーザー好みラベルと背景ラベルとの関連度は、前記ユーザー好みラベル及び前記背景ラベルが同一ユーザーのユーザー好みラベルセットに同時に現れる回数、又は同一背景の背景ラベルセットに同時に現れる回数によって確定される。
【０１３６】
第２の処理サブモジュール４２２は、前記第１の処理サブモジュール４２１が取得した、現在ユーザーのそれぞれのユーザー好みラベルと現在の候補背景のそれぞれの背景ラベルとの関連度をプラスして、現在ユーザーのユーザー好みラベル総数で前記プラスした結果を平均して、前記現在ユーザーと前記現在の候補背景との関連度を取得する。
【０１３７】
第３の処理サブモジュール４２３は、前記第２の処理サブモジュール４２２が取得した、在ユーザーとそれぞれの候補背景との関連度を排列し、排列結果によって、前記現在ユーザー及び前記それぞれの候補背景のマッチング結果を取得する。
【０１３８】
前記マッチングモジュール４２は、重みサブモジュール４２４をさらに備える。
【０１３９】
重みサブモジュール４２４は、前記それぞれのユーザー好みラベルのユーザー好みラベル重みを確定する。前記第２の処理サブモジュール４２２は、前記重みサブモジュール４２４が確定した、現在ユーザーのユーザー好みラベルの重みによって、現在ユーザーのそれぞれのユーザー好みラベルと現在の候補背景のそれぞれの背景ラベルとの関連度をプラスする。
【０１４０】
前記重みサブモジュール４２４は、第１の重みモジュール４２４１、第２の重みモジュール４２４２、結合モジュール４２４３を備える。
【０１４１】
第１の重みモジュール４２４１は、ユーザー好みの記述によって基礎重みを確定する。
【０１４２】
第２の重みモジュール４２４２は、ユーザー好き嫌いの点数付けによって行為重みを確定する。
【０１４３】
結合モジュール４２４３は、前記第１の重みモジュール４２４１の基礎重み及び前記第２の重みモジュール４２４２の行為重みによって、前記それぞれのユーザー好みラベルのユーザー好みラベルの重みを確定する。
【０１４４】
ここで、前記行為重みがユーザー好き嫌いの点数付けによって確定されることは、前記行為重みが設定背の使用時間内のユーザー好き嫌いの点数付けによって確定されることを含む。ここで、前記行為重みの値は、ユーザー好き嫌いの点数付けの増加につれて増加され、減少につれて減少され、また、増加又は減少される速度は、前記設定背景使用時間内のユーザー好き嫌いの点数付けの点数総数の増加又は減少速度よりも小さく、前記点数総数が設定値まで増加又は減少した後、前記行為重みの値が固定される傾向にある。
【０１４５】
本発明の前記装置は、サーバに設置してもよい。なお、前記装置は、モバイル端末に設置してもよい。
【０１４６】
前記実施例から分かるように、本発明は、暦又は個人情報によって、前記暦又は個人情報に対応する題材の背景を選択して候補背景とし、また、現在ユーザーのユーザー好みラベル、及びそれぞれの候補背景の背景ラベルを取得し、前記現在ユーザーのユーザー好みラベル、及び前記それぞれの候補背景の背景ラベルによって、前記現在ユーザー及び前記それぞれの候補背景をマッチングさせて、推薦待機中の背景を、現在ユーザーのモバイル端末にプッシュして変更するようにする。従って、暦又は個人情報によって、また、ユーザー好みに応じて主動的な表示背景の変更を実現することができ、ユーザーの便宜を図ることができ、ユーザーのニーズを満足することができる。
【０１４７】
図６は、本発明の一例示的な実施例による、他の表示背景を変更する装置を示すブロック図である。
【０１４８】
図６に示すように、表示背景を変更する装置は、ラベル採集モジュール５０１、及び背景変更モジュール５０２を備える。
【０１４９】
ラベル採集モジュール５０１は、現在ユーザーのユーザー好みラベルを採集してサーバに送信し、前記サーバが受信された前記現在ユーザーのユーザー好みラベル、及び取得されたそれぞれの候補背景の背景ラベルによって、前記現在ユーザー、及び前記それぞれの候補背景をマッチングし、マッチング結果によって、前記現在ユーザーのために推薦待機中の背景を選別する。
【０１５０】
背景の変更モジュール５０２は、前記サーバが送信した選別された推薦待機中の背景を受信して背景を変更する。
【０１５１】
前記装置は、暦又は個人情報アップロードモジュール５０３をさらに備える。
【０１５２】
暦又は個人情報アップロードモジュール５０３は、前記サーバに、現在ユーザーの暦又は個人情報をアップロードして、前記サーバが、前記暦又は個人情報に対応する題材の背景を選択し、選択された背景を前記候補背景として確定する。
【０１５３】
本発明の実施例に係る装置は、モバイル端末に設置されてもよい。
【０１５４】
前記装置中のそれぞれのユニットの機能及び作用の実現過程は、前記方法の対応するステップの実現過程を具体的に参照すればよいので、ここでこれ以上の冗長に説明しない。
【０１５５】
装置の実施例は、基本的に方法の実施例に対応するため、関連する部分は、方法の実施例の部分の説明を参照すればいい。上述した装置の実施例は、単に例示的なものである。特に、前記分離部品として説明したユニットは、物理的に分離されたものであってもよく、又は分離されていないものであってもよい。ユニットとして表示される部品は、物理ユニットであってもよく、物理ユニットではなくてもよい。即ち、一箇所に位置してもよく、又は複数のネットワークユニットに分布されてもよい。実際の需要に応じて、その中の一部モジュール又は全部モジュールを選択して、本発明の技術的案の目的を達成することができる。当業者は、創造的な労働をしない前提で、理解して実施することができる。
【０１５６】
相応的に、本発明は、機器をさらに提供する。
【０１５７】
図７は、本発明の一例示的な実施例に係る、表示背景を変更するための機器を示すブロック図である。前記機器は、サーバであってもよい。
【０１５８】
図７に示すように、前記機器は、プロセッサー６０１と、前記プロセッサー６０１によって実行可能な命令を記憶するメモリ６０２と、を備え、
前記プロセッサーは、
現在ユーザーのユーザー好みラベル、及びそれぞれの候補背景の背景ラベルを取得し、
前記現在ユーザーのユーザー好みラベル、及び前記それぞれの候補背景の背景ラベルによって、前記現在ユーザー及び前記それぞれの候補背景をマッチングさせ、
マッチング結果によって、前記現在ユーザーのために推薦待機中の背景を選別し、
前記選別された推薦待機中の背景を、現在ユーザーのモバイル端末にプッシュして変更するように構成される。
【０１５９】
なお、メモリ６０２に記憶された他のプログラムに対して、前述した方法の流れの記述を具体的に参照すればよいので、ここでこれ以上の冗長に説明しない。プロセッサー６０１は、メモリ６０２に記憶された他のプログラムの実行にも適用される。
【０１６０】
図８は、本発明の一例示的な実施例に係る、他の表示背景を変更するための機器を示すブロック図である。前記機器は、携帯電話であってもよい。
【０１６１】
図８に示すように、前記機器は、プロセッサー７０１と、前記プロセッサー７０１によって実行可能な命令を記憶するメモリ７０２と、を備え、
前記プロセッサーは、
現在ユーザーのユーザー好みラベルを採集してサーバに送信し、前記サーバが受信された前記現在ユーザーのユーザー好みラベル、及び取得されたそれぞれの候補背景の背景ラベルによって、前記現在ユーザー及び前記それぞれの候補背景をマッチングさせ、マッチング結果によって、前記現在ユーザーのために推薦待機中の背景を選別し、
前記サーバが送信した選別された推薦待機中の背景を受信して背景を変更するように構成される。
【０１６２】
ここで、前記サーバが送信した選別された推薦待機中の背景を受信して変更することは、
前記サーバが、現在ユーザーの暦又は個人情報に対応する題材の背景の中から選択された候補背景から選別した推薦待機中の背景を受信し、モバイル端末のデスクトップ及び/又はロック画面インターフェイスを、前記推薦待機中の背景に変更することを含む。
【０１６３】
図９は、一例示的な実施例に係る機器の構成を示すブロック図である。
【０１６４】
例えば、機器８００は、携帯電話、コンピュータ、デジタル放送端末器、メッセージ送受信装置、ゲームコンソール、タブレット装置、医療設備、フィットネス装置、ＰＤＡなどであってもよい。
【０１６５】
図９を参照すると、機器８００は、処理ユニット８０２、メモリ８０４、電源ユニット８０６、マルチメディアユニット８０８、オーディオユニット８１０、入出力（Ｉ／Ｏ）インターフェース８１２、センサーユニット８１４、及び通信ユニット８１６からなる群から選ばれる少なくとも１つを備えてもよい。
【０１６６】
処理ユニット８０２は、一般的には、機器８００の全体の操作、例えば、表示、電話呼び出し、データ通信、カメラ操作、及び記録操作に関連する操作を制御する。処理ユニット８０２は、上述した方法におけるステップの一部又は全部を実現できるように、命令を実行する少なくとも１つのプロセッサー８２０を備えてもよい。また、処理ユニット８０２は、他のユニットとのインタラクションを便利にさせるように、少なくとも１つのモジュールを備えてもよい。例えば、処理ユニット８０２は、マルチメディアユニット８０８との相互作用を容易にするように、マルチメディアモジュールを備えてもよい。
【０１６７】
メモリ８０４は、機器８００での操作をサポートするように、各種のデータを記憶するように配置される。これらのデータは、例えば、機器８００で何れのアプリケーション又は方法を操作するための命令、連絡先データ、電話帳データ、メッセージ、画像、ビデオ等を備える。メモリ８０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはこれらの組み合わせにより実現することができる。
【０１６８】
電源ユニット８０６は、機器８００の各種ユニットに電力を供給するためのものであり、電源管理システム、１つ又は複数の電源、及び機器８００のために電力を生成、管理及び分配することに関連する他のユニットを備えてもよい。
【０１６９】
マルチメディアユニット８０８は、機器８００とユーザーの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット８０８は、フロントカメラ及び／又はバックカメラを有してもよい。機器８００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。  
【０１７０】
オーディオユニット８１０は、オーディオ信号を出力及び／又は入力するように配置される。例えば、オーディオユニット８１０は、マイクロフォン（ＭＩＣ）を有してもよい。機器８００が、例えば、呼び出しモード、記録モード、又は音声認証モードのような操作モードにあるとき、マイクロフォンは、外部のオーディオ信号を受信するように配置される。受信したオーディオ信号は、メモリ８０４にさらに記憶されてもよいし、通信ユニット８１６を介して送信されてもよい。一実施例では、オーディオユニット８１０は、オーディオ信号を出力するためのスピーカをさらに備えてもよい。
【０１７１】
Ｉ／Ｏインターフェース８１２は、処理ユニット８０２と外部のインターフェースモジュールの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、これらに限らない。
【０１７２】
センサーユニット８１４は、機器８００のために各方面の状態を評価する少なくとも１つのセンサーを備えてもよい。例えば、センサーユニット８１４は、機器８００のオン／オフ状態や、ユニットの相対的な位置を検出することができる。例えば、前記ユニットが機器８００のディスプレイ及びキーパッドである。センサーユニット８１４は、機器８００又は機器８００の１つのユニットの位置の変化や、ユーザーが機器８００に接触しているか否かや、機器８００の方向又は加速／減速や、機器８００の温度変化を検出することができる。センサーユニット８１４は、何れの物理的な接触もない場合に付近の物体を検出するように配置される近接センサーを有してもよい。センサーユニット８１４は、イメージアプリケーションに用いるための光センサー、例えば、ＣＭＯＳ又はＣＣＤ画像センサーを有してもよい。一実施例では、該センサーユニット８１４は、加速度センサー、ジャイロスコープセンサー、磁気センサー、圧力センサー又は温度センサーをさらに備えてもよい。
【０１７３】
通信ユニット８１６は、機器８００と他の設備の間の無線又は有線通信を便利にさせるように配置される。機器８００は、通信標準に基づく無線ネットワーク、例えば、ＷｉＦｉや、２Ｇや、３Ｇ、又はこれらの組み合わせにアクセスできる。１つの例示的な実施例では、通信ユニット８１６は、放送チャンネルを介して外部の放送管理システムからの放送信号又は放送に関する情報を受信する。１つの例示的な実施例では、前記通信ユニット８１６は、近距離通信を促進するために近距離無線通信（ＮＦＣ）モジュールをさらに備えてもよい。例えば、ＮＦＣモジュールは、無線周波数認証装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【０１７４】
例示的な実施例では、機器８００は、上述した方法を実行するために、１つ又は複数の特定用途向け集積回路（ＡＳIＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理ディバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子デバイスによって実現されてもよい。
【０１７５】
例示的な実施例では、命令を有する非一時的（ｎｏｎ‐ｔｒａｎｓｉｔｏｒｙ）コンピュータ可読記録媒体、例えば、命令を有するメモリ８０４をさらに提供する。前記命令は、機器８００のプロセッサー８２０により実行されて前記方法を実現する。例えば、前記非一時的コンピュータ可読記録媒体、ＲＯＭ、ＲＡＭ、ＣＤ−ＲＯＭ、磁気テープ、フロッピーディスク、光データ記憶デバイス等であってもよい。
【０１７６】
非一時的コンピュータ読み取り可能な記録媒体は、前記記録媒体における命令が機器のプロセッサーにより実行されると、機器が表示背景を変更する方法を実行する。前記方法は、
現在ユーザーのユーザー好みラベル、及びそれぞれの候補背景の背景ラベルを取得するステップと、
前記現在ユーザーのユーザー好みラベル、及び前記それぞれの候補背景の背景ラベルによって、前記現在ユーザー及び前記それぞれの候補背景をマッチングさせるステップと、
マッチング結果によって、前記現在ユーザーのために推薦待機中の背景を選別するステップと、
前記選別された推薦待機中の背景を、現在ユーザーのモバイル端末にプッシュして変更するようにするステップと、を含む。
【０１７７】
非一時的コンピュータ読み取り可能な記録媒体は、前記記録媒体における命令が機器のプロセッサーにより実行されると、機器が表示背景を変更する方法を実行する。前記方法は、
現在ユーザーのユーザー好みラベルを採集してサーバに送信し、前記サーバが受信された前記現在ユーザーのユーザー好みラベル、及び取得されたそれぞれの候補背景の背景ラベルによって、前記現在ユーザー、及び前記それぞれの候補背景をマッチングし、マッチング結果によって、前記現在ユーザーのために推薦待機中の背景を選別するステップと、
前記サーバが送信した選別された推薦待機中の背景を受信して背景を変更するステップと、を含む。
【０１７８】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１７９】
本発明は、前記で記述され、図面で図示した特定の構成に限定されず、その範囲を離脱しない状況で、様々な修正や変更を実施してもよい。本発明の範囲は、添付される特許請求の範囲のみにより限定される。 
【図１】
0006346713.tif 000002
【図２】
0006346713.tif 000003
【図３】
0006346713.tif 000004
【図４】
0006346713.tif 000005
【図５】
0006346713.tif 000006
【図６】
0006346713.tif 000007
【図７】
0006346713.tif 000008
【図８】
0006346713.tif 000009
【図９】
0006346713.tif 000010